(57)【特許請求の範囲】
【請求項１】
少なくとも座部と背部とを有するシート本体と、
シート本体の下方に設けられ、シート本体を前後方向に往復動させるロッキング機構とを備えたベビーラックにおいて、
ロッキング機構は、
固定部と、
固定部上に設けられるとともに、シート本体の前後方向に対して直交するシート本体の幅方向に向けて傾斜した揺動軸を中心として揺動自在な振子と、
振子に摺動自在に支持されるとともにシート本体を下方から支持する可動部とを有し、
振子が揺動することにより、可動部が固定部に対してシート本体の前後方向に沿って往復動することを特徴とするベビーラック。
【請求項２】
固定部上に、シート本体の幅方向に沿って一対の振子が配置されていることを特徴とする請求項１記載のベビーラック。
【請求項３】
固定部および可動部のどちらか一方にシート本体の前後方向に延びる案内板が設けられ、固定部および可動部の他方に案内板に係合する規制部材が設けられ、
案内板と規制部材とが係合することにより、可動部の固定部に対するシート本体の幅方向への移動が規制されることを特徴とする請求項１記載のベビーラック。
【請求項４】
可動部と振子との間に球状体が設けられ、球状体が転がることにより、可動部は振子に対して摺動することを特徴とする請求項１記載のベビーラック。
【請求項５】
ロッキング機構の可動部とシート本体の座部とが一体に形成されていることを特徴とする請求項１記載のベビーラック。
【発明の詳細な説明】
【技術分野】
【０００１】
本発明は、新生児、乳児および児童を含む幼児の椅子としてまた寝台として用いられるベビーラックに関する。
【背景技術】
【０００２】
ベビーラックとして、下方端にキャスターを設けられた左右一対の前脚および後脚と、各前脚および各後脚の上方端に連結された左右一対の側板と、一対の側板間に配置されるとともに各側板に被さる一対のアームレストを有するシート本体とを備えたものが開発されている（特開２００３−２４１８９号公報）。【０００３】
特開２００３−２４１８９号公報に開示されたベビーラックにおいて、前脚および後脚は側板に対して揺動自在となっている。このため、前脚および後脚を側板に対して揺動させることにより、シート本体の位置を高くしたり、低くしたりすることができる。【０００４】
また、シート本体はアームレストの他に、座部と、座部の下方に連結された脚部と、座部の上方に連結された背部と、背部の上方に連結されたヘッドレストとを有している。これら各部は連結箇所において互いに対して揺動自在となっている。このため、ベビーラックは、幼児の椅子として機能するとともに、脚部と座部と背部とを略平行に配置することにより幼児の寝台としても機能する。【０００５】
このようなシート本体は、各側板から揺動自在に垂れ下げられたスイングバーにより下方から支持されている。このスイングバーはベビーラックの正面視においてコ字状となっており、振子として機能する。したがって、スイングバーが揺動することにより、シート本体は前後方向に往復動させられる。このため、ベビーラックを幼児の昼寝用の寝台として用いた場合、シート本体を前後方向に往復動させることにより、幼児をスムースに眠らせることができる。【０００６】
この場合、スイングバーはおおよそ単振子の原理で振動する。したがって、シート本体の往復動の周期は、主にスイングバーの上下方向長さによって決定され、スイングバーの上下方向長さが長い程、往復動の周期は長くなる。【０００７】
しかしながら、ベビーラックをコンパクトな大きさに維持するために、スイングバーの上下方向長さは制約される。このため、特開２００３−２４１８９号公報のベビーラックにおいては、シート本体の往復動の周期をさらに長期化することは困難である。
【発明の開示】
【０００８】
本発明はこのような点を考慮してなされたものであり、コンパクトな大きさであるとともに、シート本体を前後方向へ長周期で往復動させることができるベビーラックを提供することを目的とする。
【０００９】
本発明は、少なくとも座部と背部とを有するシート本体と、シート本体の下方に設けられ、シート本体を前後方向に往復動させるロッキング機構とを備えたベビーラックにおいて、ロッキング機構は、固定部と、固定部上に設けられるとともに、シート本体の前後方向に対して直交するシート本体の幅方向に向けて傾斜した揺動軸を中心として揺動自在な振子と、振子に摺動自在に支持されるとともにシート本体を下方から支持する可動部とを有し、振子が揺動することにより、可動部が固定部に対してシート本体の前後方向に沿って往復動することを特徴とするベビーラックである。
【００１０】
本発明は、固定部上に、シート本体の幅方向に沿って一対の振子が配置されていることを特徴とするベビーラックである。
【００１１】
本発明は、固定部および可動部のどちらか一方にシート本体の前後方向に延びる案内板が設けられ、固定部および可動部の他方に案内板に係合する規制部材が設けられ、案内板と規制部材とが係合することにより、可動部の固定部に対するシート本体の幅方向への移動が規制されることを特徴とするベビーラックである。
【００１２】
本発明は、可動部と振子との間に球状体が設けられ、球状体が転がることにより、可動部は振子に対して摺動することを特徴とするベビーラックである。
【００１３】
本発明は、ロッキング機構の可動部とシート本体の座部とが一体に形成されていることを特徴とするベビーラックである。
【００１４】
本発明は、少なくとも座部と背部とを有するシート本体と、シート本体の下方に設けられ、シート本体を前後方向に往復動させるロッキング機構とを備えたベビーラックにおいて、ロッキング機構は、固定部と、固定部上に設けられ、断面が少なくとも弧状部分を有する略扇形の柱状からなり、弧状部分が固定部に面する扇形コロと、扇形コロを貫通する支軸を保持するとともに、シート本体を下方から支持する可動部とを有し、扇形コロが固定部上を転がることにより、可動部が固定部に対してシート本体の前後方向に沿って往復動することを特徴とするベビーラックである。
【００１５】
本発明は、固定部上に扇形コロがシート本体の前後方向に離間して２つ設けられていることを特徴とするベビーラックである。
【００１６】
本発明は、固定部上にシート本体の前後方向に延びる案内板が設けられ、案内板は支軸に係合する案内開口を有することを特徴とするベビーラックである。
【００１７】
本発明は、ロッキング機構の可動部とシート本体の座部とが一体に形成されていることを特徴とするベビーラックである。
【００１８】
本発明は、少なくとも座部と背部とを有するシート本体と、シート本体の下方に設けられ、シート本体を前後方向に往復動させるロッキング機構とを備えたベビーラックにおいて、ロッキング機構は、シート本体の前後方向に延びる側壁を有する固定部と、固定部の側壁から揺動自在に垂れ下がる第１揺動体と、第１揺動体に支持された揺動フレームと、揺動フレームから揺動自在に垂れ下がる第２揺動体と、第２揺動体に支持されるとともに、シート体を下方から支持する可動部とを有し、第１揺動体と第２揺動体とは、高さ方向において少なくとも一部で重なり合い、可動部が固定部に対してシート本体の前後方向に沿って往復動することを特徴とするベビーラックである。
【００１９】
本発明は、固定部の側壁に一対の第１揺動体がシート本体の前後方向に離間して設けられるとともに、揺動フレームに一対の第２揺動体がシート本体の前後方向に離間して設けられていることを特徴とするベビーラックである。
【００２０】
本発明は、ロッキング機構の可動部とシート本体の座部とが一体に形成されていることを特徴とするベビーラックである。
【００２１】
本発明は、少なくとも座部と背部とを有するシート本体と、シート本体の下方に設けられ、シート本体を前後方向に往復動させるロッキング機構とを備えたベビーラックにおいて、ロッキング機構は、シート本体の前後方向に沿って凹状に湾曲した湾曲レールを有する固定部と、湾曲レール上を回転する車輪を有するとともに、シート本体を下方から支持する可動部とを有し、可動部が固定部に対してシート本体の前後方向に沿って往復動することを特徴とするベビーラックである。
【００２２】
本発明は、可動部は一対の車輪と、一対の車輪を連結する車輪軸と、を有することを特徴とするベビーラックである。
【００２３】
本発明は、固定部は、シート本体の前後方向に延びる回転自在なロック軸と、ロック軸に固定され、車輪の車輪軸の下方に配置されるとともに車輪軸に係合するロック係合溝を有したロック部材とをさらに有し、ロック軸を回転することにより、ロック係合溝が車輪軸に係合して、ロック部材がシート本体の前後方向への車輪軸の移動を規制することを特徴とするベビーラックである。
【００２４】
本発明は、固定部はシート本体の前後方向に延びる一対の側壁をさらに有し、側壁に車輪の車輪軸に係合する案内開口が設けられていることを特徴とするベビーラックである。
【００２５】
本発明は、ロッキング機構の可動部とシート本体の座部とが一体に形成されていることを特徴とするベビーラックである。
【００２６】
本発明は、固定部は、シート本体の前後方向に延びるとともに前後方向に沿って移動自在なロック軸と、車輪の車輪軸の下方に配置されるとともに車輪軸に係合するロック係合溝を有し、上下方向に移動自在なロック部材と、ロック軸とロック部材とにそれぞれ回動自在に連結された連結杆と、をさらに有し、ロック軸を前後方向に移動させることによりロック部材を上方に移動させ、これにより、ロック係合溝が車輪軸に係合して、ロック部材がシート本体の前後方向への車輪軸の移動を規制することを特徴とするベビーラックである。
【００２７】
本発明によれば、ベビーラックはシート本体を前後方向へ長周期で往復動させることができるとともに小さなスペースに配置することができるロッキング機構を備えている。これにより、ベビーラックの形状を大きくすることなく、シート本体を幼児にとって最適な周期で往復動させることができる。
【図面の簡単な説明】
【００２８】
【図１】図１は本発明によるベビーラックの第１の実施の形態を示す斜視図である。
【図２】図２は収納ボックスを取り外した状態のベビーラックを示す斜視図である。
【図３】図３は収納ボックスを取り外した状態のベビーラックを示す側面図である。
【図４】図４はロッキング機構を示す側面図である。
【図５】図５は図４の線５−５に沿った断面図である。
【図６】図６は振子の揺動状態を示す部分上面図である。
【図７】図７はロッキング機構の変形例を示す正面図である。
【図８】図８は本発明によるベビーラックの第２の実施の形態のロッキング機構を示す側面図である。
【図９】図９は本発明によるベビーラックの第２の実施の形態のロッキング機構を示す正面図である。
【図１０】図１０は本発明によるベビーラックの第３の実施の形態のロッキング機構を示す上面図である。
【図１１】図１１は本発明によるベビーラックの第３の実施の形態のロッキング機構を示す正面図である。
【図１２】図１２は図１０の線１２−１２に沿った断面図である。
【図１３】図１３は本発明によるベビーラックの第４の実施の形態のロッキング機構を示す側面図である。
【図１４】図１４は本発明によるベビーラックの第４の実施の形態のロッキング機構を示す正面図である。
【図１５Ａ】図１５Ａは本発明によるベビーラックの第４の実施の形態のロッキング機構の変形例を示す部分側面図である。
【図１５Ｂ】図１５Ｂは本発明によるベビーラックの第４の実施の形態のロッキング機構の変形例を示す部分側面図である。
【発明を実施するための最良の形態】
【００２９】
以下図面を参照して本発明の実施の形態について説明する。【００３０】
第１の実施の形態
図１乃至図７は本発明によるベビーラックの第１の実施の形態を示す図である。【００３１】
このうち、図１はベビーラックの斜視図であり、図２は収納ボックスを取り外した状態のベビーラックの斜視図であり、図３は収納ボックスを取り外した状態のベビーラックの側面図である。【００３２】
図１乃至図３に示すように、ベビーラック１は、下方端にキャスター１４を設けられた左右一対の前脚１０，１０および後脚１５，１５と、各前脚１０，１０および各後脚１５，１５の上方端に連結された左右一対の側板２０，２０と、側板２０，２０間に配置されたロッキング機構４０と、ロッキング機構４０の上方に設けられたシート本体３０と、側板２０に取り外し自在に装着された収納ボックス２５とを備えている。【００３３】
このようなベビーラック１は、図２に示すように幼児用の椅子として用いることができるとともに、図１に示すように幼児用の寝台としても用いることができる。【００３４】
＜ベビーラックの全体構成および作用＞
まず、図１乃至図３により、一対の前脚１０および後脚１５と、一対の側板２０，２０と、ロッキング機構４０と、シート本体３０と、収納ボックス２５とを備えたベビーラック１の全体構成および作用について説明する。ただし、ロッキング機構４０については、ここでは概略のみを説明し、詳細は後述することとする。【００３５】
まず、ベビーラック１の一対の側板２０，２０について詳述する。  
各側板２０は、ベビーラック１の前後方向に延びる側板ベース部２１と、側板ベース部２１の前方下方に固定された後脚保持部２３と、側板ベース部２１の後方下方に設けられた前脚保持部２２とを有している。このうち、前脚保持部２２は、側板ベース部２１に対してベビーラック１の前後方向に沿って摺動自在となるように（図２および図３）、側板ベース部２１へ取り付けられている。【００３６】
また、ベビーラック１の正面視右側に配置される側板２０は、ベビーラック１の幅方向外方に向く側板ベース部２１の外側面２１ａに取り付けられた保持板２４をさらに有している。保持板２４は、前脚保持部２２と後脚保持部２３との間に配置され、側板ベース部２１の下方から一部突出している。この保持板２４の突出部に２つの開口２４ａ，２４ａが設けられている。【００３７】
このような構成からなる一対の側板２０，２０の下方間に、ロッキング機構４０が設けられている。ロッキング機構４０は側板２０に固定された固定部４１と、固定部４１上に設けられ、固定部４１に対してベビーラック１の前後方向（シート本体３０の前後方向）に沿って往復動自在な可動部５１とを有している。上述したように、このロッキング機構４０についての詳細は後述する。【００３８】
次に、収納ボックス２５について詳述する。収納ボックス２５はボックス本体２６と、ボックス本体２６に開閉自在に装着される蓋体２７とからなっている。ボックス本体２６の側面には、側板２０の保持板２４の開口２４ａに係合する突起（図示せず）が設けられている。この突起と保持板の開口２４ａとを係合させることにより、収納ボックス２５は保持板２４を介してベビーラック１に取り外し自在に装着される。また、蓋体２７の上面には取手２７ａが設けられている。この取手２７ａは、収納ボックス２５がベビーラック１から取り外されて持ち運ばれる際に用いられる。【００３９】
次に、上述した前脚１０および後脚１５についてさらに詳述する。  
図１および図２に示すように、一対の前脚１０，１０は、その上方端を各側板２０の前脚保持部２２に揺動自在に連結され、各前脚保持部２２から前方下方に向けて延びている。前脚１０の中間部には、一対の前脚１０，１０間を連結する連結杆１１が設けられている。他方、一対の後脚１５，１５は、その上方端を各側板２０の後脚保持部２３に揺動自在に連結され、各後脚保持部２３から後方下方に向けて延びている。後脚１５の中間部には、一対の後脚１５，１５間を連結する連結杆１６が設けられている。各前脚１０と各後脚１５とは、それぞれの中間部において互いに対して回動自在に連結され、ベビーラック１の側面視においてＸ字状に配置されている。【００４０】
また、前脚１０を図２において時計回り方向に前脚保持部２２に対して揺動させ、後脚１５を図２において反時計回り方向に後脚保持部２３に対して揺動させることにより、ベビーラック１のシート本体３０の位置を下げることができる（図３）。このとき、前脚１０と後脚１５とは連結箇所を中心として互いに対して回動するとともに、前脚１０の上方端と後脚１５の上方端とが離間するよう、前脚保持部２２はベビーラック１の後方に向けて側板ベース部２１に対して摺動する（図３）。【００４１】
次に上述したシート本体３０についてさらに詳述する。  
図１および図２に示すように、シート本体３０は、座部３１と、座部３１の前方に揺動自在に連結された脚部３２と、座部３１の後方に揺動自在に連結された背部３３と、背部３３の上方に揺動自在に連結されたヘッドレスト３４とを有している。このシート本体３０は、ロッキング機構４０によって下方から支持されている。【００４２】
また、背部３３と脚部３２との間および背部３３とヘッドレスト３４との間を連結する図示しないリンクが設けられている。このリンクにより、背部３３の座部３１に対する揺動に連動して、脚部３２が座部３１に対して揺動するとともに、ヘッドレスト３４が背部３３に対して揺動するようになっている。【００４３】
すなわち、図１に示すように各部３１，３２，３３，３４が平らに配置されている状態から、背部３３が座部３１に対して上方に向けて揺動させられると、脚部３２とヘッドレスト３４とが背部３３の動きに連動して揺動する。これにより、シート本体３０は図２に示す状態となり、ベビーラック１は椅子として機能する。また逆に、図２に示す状態から、背部３３が座部３１と平行となるように揺動させられると、脚部３２とヘッドレスト３４とが背部３３の動きに連動して揺動し、シート本体３０は図１に示す状態となりベビーラック１は寝台として機能する。【００４４】
また、図１乃至図３に示すように、シート本体３０は、座部３１の両側方にそれぞれ設けられた一対のアームレスト３６をさらに有している。アームレスト３６は、下方に開放した中空状からなるアームレスト本体３６ａと、アームレスト本体３６ａの前方上方に設けられるとともにアームレスト本体３６ａに対して揺動自在な揺動板３６ｂとを有している。【００４５】
なお、このようなベビーラック１を実際に使用する際には、シート本体３０上にクッション（図示せず）が配置される。【００４６】
次に以上のような構成からなるベビーラック１の作用について説明する。
ベビーラック１のシート本体３０は、図２に示すように座部３１に対して背部３３を略垂直に配置した場合、図示しないリンクにより背部３３の座部３１に対する揺動に連動し、脚部３２が座部３１に対して略垂直となるよう揺動され、ヘッドレスト３４は背部３３に対して傾斜するよう揺動される。これにより、ベビーラック１は図２に示す状態となり、幼児用の椅子として用いることができる。この場合、幼児はこのようなベビーラック１に座って、食事をしたり、本を読んだりすることができる。【００４７】
また、図２に示す状態から背部３３を座部３１に対して平行となるように揺動させた場合、図示しないリンクにより背部３３の座部３１に対する揺動に連動し、脚部３２が座部３１に対して平行となるように揺動されるともに、ヘッドレスト３４は起き上がるように揺動される。これにより、ベビーラック１は図１に示す状態となり、幼児用の寝台として用いることができる。【００４８】
また、シート本体３０はロッキング機構４０を介して、側板２０、前脚１０および後脚１５に連結されている。このため、ベビーラック１を寝台として用い、シート本体３０上に幼児を寝かせる際には、ロッキング機構４０によってシート本体３０を各側板２０，２０に対して前後方向に揺れ動かすことができる。これにより、ベビーラック１上で幼児をスムースに眠らせることができる。また、側板２０に対して前脚１０および後脚１５を揺動させることにより、シート本体３０の位置を低くすることができる。このため、ベビーラック１上に幼児を寝かせても安全である。【００４９】
さらに、シート本体３０のアームレスト３６の揺動板３６ｂはアームレスト本体３６ａに対して揺動自在となっている。したがって、ベビーラック１を寝台として用い、シート本体３０上で幼児のおむつ替えや入浴後の手入れをする際には、揺動板３６ｂをアームレスト本体３６ａに対してベビーラック１の幅方向（シート本体３０の幅方向）外方に揺動させることができる（図１）。この場合、シート本体３０上で幼児の足を開脚する際、および保護者が幼児のケアする際にアームレスト３６が邪魔になることを防止することができるとともに、揺動されて上方に向いた揺動板３６ｂの内側面上におむつ等のケア用品を一時的に載置することができ、便利である。【００５０】
また、ベビーラック１の正面視において右側に配置される側板２０には、収納ボックス２５が装着されている。この収納ボックス２５には紙おむつや幼児用おしり拭き等のケア用品を収納することができる。したがって、ベビーラック１の前方側から幼児をケアする保護者は、その位置から動くことなく右手だけで収納ボックス２５からケア用品を取り出すことができる。したがって、保護者は幼児から目を離すことなく、幼児のケアを容易かつスムースに行うことができる。【００５１】
さらに、収納ボックス２５は側板２０から取り外し自在となっており、外出時に持ち出して利用することができる。【００５２】
＜ロッキング機構＞
次に、図４乃至図７により、ロッキング機構４０についてさらに詳述する。  
このうち、図４はロッキング機構４０の側面図であり、図５は図４の線５−５に沿った断面図であり、図６は振子６２の揺動状態を示す部分上面図であり、図７はロッキング機構４０の変形例を示す正面図である。【００５３】
図４乃至図６に示すように、ロッキング機構４０は、平板状の固定部４１と、固定部４１上に設けられるとともにシート本体３０の幅方向に傾斜した揺動軸６１を中心として揺動自在な細長状の振子６２と、振子６２の先端部６３に摺動自在に支持されるとともにシート本体３０を下方から支持する可動部５１とを有している。【００５４】
このようなロッキング機構４０は、固定部４１が側板２０間に配置されるとともに、振子６２が揺動することにより、可動部５１が固定部４１に対してシート本体３０の前後方向に沿って往復動し、これにより、可動部５１に支持されたシート本体３０を側板２０に対してベビーラック１の前後方向に往復動させる。【００５５】
なお、シート本体３０の前後方向とは、側面図である図４において紙面における左右方向のことであり、図４から明らかなように上述してきたベビーラック１の前後方向と同一の方向である。また、シート本体３０の幅方向とは、シート本体３０の前後方向に対して直交する方向であり、側面図である図４において紙面における奥行き方向のことである。したがって、シート本体３０の幅方向とは上述してきたベビーラック１の幅方向と同一の方向である。これ以降、明細書中で前後方向とはシート本体の前後方向（ベビーラックの前後方向）を意味し、幅方向とはシート本体の幅方向（ベビーラックの幅方向）を意味する。【００５６】
まず、固定部４１について説明する。固定部４１は本実施の形態において平板状からなっている。この固定部４１は水平に配置されるよう側板２０に固定されるとともに、側板２０間を連結している。本実施の形態において、固定部４１は側板２０と別体に形成された例を示しているが、一体に形成されてもよい。【００５７】
固定部４１上には、シート本体３０の幅方向に沿って一対の振子６２が配置され（図５）、この一対の振子６２からシート本体３０の前後方向に沿って離間した位置にさらに一対の振子が（すなわち、計４つの振子が）配置されている（図４）。また、固定部４１の上面４１ａには各振子６２に対応して振子支持台４２が設けられるとともに、各振子支持台４２には揺動軸６１が設けられている。各振子６２は、この揺動軸６１に図示しない軸受けを介して支持され、この揺動軸６１を中心として揺動自在となっている。揺動軸６１は鉛直方向からシート本体３０の幅方向に向けて傾斜しており、揺動軸６１の上端６１ａが揺動軸６１の下端６１ｂよりシート本体３０の幅方向外側に配置されている（図５）。このため、振子６２に力が加えられていない場合には、振子６２は重力によってシート本体３０の幅方向に沿った向きに延びるよう配置される。【００５８】
各振子６２の先端部６２ａの上面には、振子６２の長手方向に沿って延びる長溝６２ｂが設けられている。この長溝６２ｂ内には球状体６３が配置されており、球状体６３は長溝６２ｂに沿って転がることにより振子６２の長手方向に移動自在となっている。【００５９】
なお、上述した４つの振子６２、４つの振子支持台４２および４つの揺動軸６１はそれぞれ同一大きさおよび同一形状からなっている。【００６０】
次に可動部５１についてさらに詳述する。  
図５に示すように、可動部５１は平板状の可動部ベース５１ａを有しており、可動部ベース５１ａの下面には、各振子６２の先端部６２ａの長溝６２ｂに対応した位置において下方に突出する受け台５２が設けられている。長溝６２ｂに対面する受け台５２の端面には、球状体６３を受けるための孔５２ａが設けられている。この受け台５２の孔５２ａと振子６２の長溝６２ｂとの間に球状体６３を配置することにより、可動部５１は振子６２の先端部６２ａに摺動自在に支持されている。また、受け台５２の端面と長溝６２ｂの外周部上面とは接触していない（図５）。このため、球状体６３が長溝６２ｂ内を転がって移動することに伴い、可動部５１は振子６２の先端部６２ａに対してスムースに摺動することができる。なお、図５および図６に示すように、振子６２がシート本体３０の幅方向に沿って延びている場合、球状体６３は長溝６２ｂの最も幅方向内側（揺動軸６１側）に配置されるようになっている。【００６１】
また、図４および図５に示すように、可動部ベース５１ａの下面の幅方向中央には、シート本体３０の前後方向に沿って延びる案内板５３が設けられている。また、固定部４１には、案内板５３を挟むようにして上方に延びる略Ｕ字状の規制部材４３が、シート本体３０の前後方向に離間して２つ設けられている。この規制部材４３と案内板５３とが係合することにより、可動部５１が固定部４１に対して幅方向へ移動することが規制される。【００６２】
また、図４に示すように、案内板５３の下端近傍には前後方向に沿って延びる案内開口５３ａが設けられている。一方、規制部材４３には、案内開口５３ａを貫通するとともに、案内開口５３ａの両側方を延びる規制部材４３に両端を連結された規制軸４３ａが設けられている。この案内開口５３ａと規制軸４３ａとにより、可動部５１が固定部４１から外れてしまうことを防止することができる。【００６３】
さらに、可動部ベース５１ａの上面には、おおよそ各受け台５２の配置位置に対応して、支持部５４が設けられている。図４に示すように、各支持部５４はシート本体３０の座部３１の裏面に突設された受け部３１ａと係合するようになっており、支持部５４と受け部３１ａとを係合させることにより、可動部５１はシート本体３０を下方から支持するようになっている。【００６４】
なお、本実施の形態において、可動部５１はシート本体３０と別体に形成された例を示しているが、可動部５１がシート本体３０の座部３１と一体に形成されてもよい。すなわち、シート本体３０の座部３１の下面に上述した案内板５３を設けるとともに、シート本体３０の座部３１の受け部３１ａを上述した受け台５２と同一の構成にすることにより、シート本体３０の座部３１が振子６２によって直接支持されるようにしてもよい。【００６５】
このようなロッキング機構４０は、図４乃至図６に示すように厚みの薄い平たい外形を有している。したがって、ロッキング機構４０をシート本体３０の下方に配置することができ、ベビーラック１全体をコンパクトな大きさにすることができる。【００６６】
次に以上のような構成からなるロッキング機構４０の作用について説明する。【００６７】
上述したように揺動軸６１は、その上端６１ａが下端６１ｂに比べてシート本体３０の幅方向外方に配置されるように傾斜している。したがって、振子６２は図６に実線で示すようなシート本体３０の幅方向に沿って延びている場合に最も低い位置に配置され、この位置から両側に揺動されるにしたがって次第に高い位置に配置されるようになる。このため、一旦振子６２を揺動させると、振子６２は重力により図４及び図５に示すシート本体３０の幅方向に沿った方向を中心として両側に周期的に揺動する。【００６８】
また、図６に示すように、振子６２が揺動すると、振子６２の先端部６２ａの位置はシート本体３０の幅方向において内側に向けて移動する。しかしながら、可動部５１の受け台５２は振子６２の先端部６２ａに対して振子６２の長手方向に摺動自在となっている。また、可動部５１は固定部４１の規制部材４３によってシート本体３０の幅方向に移動することを規制されている。これらのことから、図６に点線で示すように、振子６２の先端部６２ａの位置がシート本体３０の幅方向において内側に向けて移動したとしても、受け台５２はシート本体３０の幅方向に沿って移動することはない。これにより、可動部５１はシート本体３０の幅方向に移動することなく、シート本体３０の前後方向のみにスムースかつ周期的に往復動することができる。【００６９】
さらに、振子６２は所謂水平振子の原理で周期的に揺動する。したがって、振子６２の長手方向長さを長くすることだけでなく、揺動軸６１の鉛直方向からシート本体３０の幅方向へ向けた傾斜角度θを小さくすることによっても振子６２の揺動周期を長くすることができる。また、揺動軸６１の傾斜角度θを小さくすると、ロッキング機構４０の厚みは薄くなる。このため、ベビーラック１全体の大きさを大きくすることなく幼児にとって最適な揺動周期に調整することができる。【００７０】
さらにまた、規制部材４３は案内板５３の案内開口５３ａを貫通する規制軸４３ａを有している。このため、可動部５１を固定部４１に対して往復動させたとしても、可動部５１が固定部４１から脱落してしまうことを防止することができる。【００７１】
以上のように本実施の形態によれば、ベビーラック１を椅子としておよび寝台として用いることができる。ベビーラック１を椅子として用いる場合には、ベビーラック１に幼児を座らせて、食事をさせたり、本を読ませたりすることができる。また、ベビーラック１を寝台として用いる場合には、ベビーラック１に幼児を寝かせておむつ替えや入浴後のケアをしたり、ベビーラック１上で昼寝させたりすることができる。【００７２】
また、ロッキング機構４０の固定部４１に支持された振子６２は水平振子の原理で周期的に揺動することができる。また、可動部５１の受け台５２は振子６２の先端部６２ａに摺動自在に支持されている。さらに、固定部４１の規制部材４３により、可動部５１はシート本体３０の幅方向への移動を規制されている。これらにより、振子６２を揺動させることにより、重力を用いて可動部５１を固定部４１に対してシート本体３０の前後方向に沿ってスムースかつ周期的に往復動させることができる。【００７３】
さらに、このようなロッキング機構４０は厚みの薄い平たい外形を有している。したがって、ロッキング機構４０をシート本体の下方に配置することができ、これにより、ベビーラック１全体をコンパクトな大きさにすることができる。【００７４】
さらにまた、可動部５１の往復動の周期は、振子６２の長手方向長さを長くするだけでなく、揺動軸６１の鉛直方向に対する傾斜角度θを小さくすることによっても長くなる。また、揺動軸６１の傾斜角度θを小さくした場合、ロッキング機構４０の厚みをさらに薄くすることができる。このため、ベビーラック１全体の大きさを大きくすることなく、シート本体３０の往復動の周期を幼児にとって最適な周期に調整することができる。【００７５】
なお、本実施の形態において、案内板５３を両側方から挟むようにして上方に延びる規制部材４３により、可動部５１の固定部４１に対するシート本体３０の幅方向への移動を規制する例を示したが、これに限られない。案内板５３を挟む一対のコロ（図示せず）を設け、このコロによって案内板５３を両側から挟むことにより、可動部５１の固定部４１に対するシート本体３０の幅方向への移動を規制してもよい。【００７６】
あるいは、図７に示すように、可動部５１に案内板５３を設ける代わりに案内溝６４を設けるとともに、振子支持台４２上方にこの案内溝６４内に配置される規制コロ６５を設け、案内溝６４と規制コロ６５とを係合させることにより、可動部５１の固定部４１に対するシート本体３０の幅方向への移動を規制してもよい。【００７７】
また、図７に示す変形例においては、振子６２の先端部６２ａに案内開口６２ｃが設けられ、受け台５２に振子６２の先端部６２ａをシート本体３０の前後方向から挟んで延びる一対の延長部５２ｂ，５２ｂが設けられている。そして、延長部５２ｂ，５２ｂ間には、案内開口６２ｃを貫通する規制軸５２ｃが配置されている。そして、このように配置された案内開口６２ｃと規制軸５２ｃとにより、可動部５１が固定部４１から外れてしまうことを防止することもできる。【００７８】
第２の実施の形態
次に、図８および図９により、本発明の第２の実施の形態について説明する。  
図８および図９に示す第２の実施の形態は、ロッキング機構が異なるのみであり、他は図１乃至図７に示す第１の実施の形態と略同一である。【００７９】
このため、ロッキング機構以外の部分について詳細な説明は省略するとともに、図８および図９において、ロッキング機構についても図１乃至図７に示す第１の実施の形態と同一部分には同一符号を付して詳細な説明は省略する。【００８０】
なお、図８はロッキング機構７０の側面図であり、図９はロッキング機構７０の正面図である。【００８１】
図８および図９に示すように、ロッキング機構７０は、固定部４１と、固定部４１上に設けられ、断面が少なくとも弧状部分７１ａを有する略扇形の柱状からなり、弧状部分７１ａが固定部４１に面する扇形コロ７１と、扇形コロ７１を回動自在に貫通する支軸７３を保持するとともに、シート本体３０を下方から支持する可動部５１とを有している。【００８２】
このような、ロッキング機構７０は、扇形コロ７１が固定部４１上を転がることにより、可動部５１が固定部４１に対してシート本体３０の前後方向に沿って往復動し、これにより、可動部５１に支持されたシート本体３０を側板２０に対してベビーラック１の前後方向に往復動させる。【００８３】
なお、シート本体３０の前後方向とは、側面図である図８において紙面における左右方向のことであり、シート本体３０の幅方向とは、側面図である図８において紙面における奥行き方向のことである。【００８４】
扇形コロ７１は、本実施の形態において底面７１ｂが扇形の扇形柱からなっている。固定部４１は本実施の形態において平板状からなり、固定部４１の上面４１ａには幅方向に沿って離間した一対の扇形コロ７１，７１が、前後方向に沿って離間して２組（すなわち、計４つ転動コロ）設けられている。幅方向に離間した各扇形コロ７１は、図８に示すように、側面視において重なるように配置されるとともに、前後方向に離間した各扇形コロ７１は、図９に示すように、正面視において重なるように配置されている。【００８５】
このような扇形コロ７１は上述したように弧状部分７１ａが固定部４１の上面４１ａに面するよう配置されている。したがって、扇形コロ７１と固定部４１は接触線Ｌ２沿って線接触している（図８および図９）。【００８６】
次に支軸７３についてさらに詳述する。図８および図９に示すように、２本の支軸７３，７３がシート本体３０の幅方向に沿って延びている。各支軸７３は、幅方向に沿って離間して配置された一対の扇形コロ７１，７１を、扇形コロ７１の扇形底面７１ｂの頂点７１ｃ近傍かつ扇形底面７１ｂの対称線Ｌ１上で貫通している。また、支軸７３と扇形コロ７１のとの間には図示しない軸受けが設けられており、扇形コロ７１は支軸７３を中心としてスムースに回動することができるようになっている。【００８７】
可動部５１は平板状からなる可動部ベース５１ａの下面に設けられた４つの受け台７２を介して、２本の支軸７３，７３の両端部近傍をそれぞれ保持している。したがって、扇形コロ７１が固定部４１上を転がることにより、可動部５１は固定部４１に対して前後方向に移動することができる。【００８８】
また、図９に示すように、固定部４１の上面４１ａに、案内板５３，５３が各扇形コロ７１の幅方向内側にそれぞれ近接して設けられている。図８および図９に示すように、案内板５３は固定部４１に直交するとともに、シート本体３０の前後方向に延びている。また、案内板５３には各支軸７３に係合する案内開口５３ａが設けられている。案内開口５３ａは支軸７３に貫通されるとともに、扇形コロ７１が固定部４１上を転がった際の支軸７３の移動軌跡に沿った形状となっている。【００８９】
このようなロッキング機構７０は、図８および図９に示すように厚みの薄い平たい外形を有している。したがって、ロッキング機構７０をシート本体３０の下方に配置することができ、ベビーラック１全体をコンパクトな大きさにすることができる。【００９０】
次にこのような構成からなる本実施の形態の作用について説明する。
扇形コロ７１は、上述したように底面７１ｂが扇形の扇形柱からなり、その重心は対称線Ｌ１上にある。また、シート本体３０および可動部５１の荷重を受ける支軸７３は、扇形コロ７１の対称線Ｌ１上を貫通している。したがって、図８に実線で示すように扇形コロ７１の対称線Ｌ１が扇形コロ７１と固定部４１との接触線Ｌ２と交差している状態から、扇形コロ７１が図８に二点鎖線で示すように一方に転がるのにしたがって、対称線Ｌ１上にある扇形コロ７１の重心および支軸７３は、扇形コロ７１と固定部４１との接触線Ｌ２に対して次第に他方側にずれていく。このため、一旦扇形コロ７１を固定部４１上で転がすと、扇形コロ７１は重力により図８および図９に実線で示す対称線Ｌ１が固定部４１に直交する状態を中心として両側に周期的に転がる。このような扇形コロ７１の周期的な転がりに伴い、可動部５１は固定部４１に対して往復動することができる。【００９１】
また、このような扇形コロ７１の周期的な動きは、所謂転動振子の原理に基づいている。したがって、扇形コロ７１の形状、特に弧状部分７１ａの形状を変更することや、支軸７３の貫通位置を対称線Ｌ１上でずらすこと等により、可動部５１の往復動の周期を変更することができる。これにより、シート本体３０の往復動の周期を幼児にとって最適な揺動周期に調整することができる。【００９２】
さらに、シート本体３０の幅方向において各扇形コロ７１の内側に案内板５３がそれぞれ設けられるとともに、支軸７３は案内板５３の案内開口５３ａを貫通している。このため、扇形コロ７１がシート本体３０の幅方向に移動することを防止することができるとともに、可動部５１が固定部４１から離れてしまうことを防止することができる。また、扇形コロ７１が転がり過ぎてしまうことを防止することができる。これにより、可動部５１はシート本体３０の幅方向に移動することなく、前後方向のみに沿ってスムースに往復動することができる。【００９３】
以上のように本実施の形態によれば、固定部４１上に設けられた扇形コロ７１は転動振子の原理で周期的に転がることができる。また、扇形コロ７１は案内板５３によって、シート本体３０への幅方向への移動を規制されている。さらに、扇形コロ７１を回動自在に貫通するとともに可動部５１に保持された支軸７３は、案内板５３の案内開口５３ａを貫通している。これらにより、扇形コロ７１を固定部４１上で転がすことにより、重力を用いて可動部５１を固定部４１に対してシート本体３０の前後方向に沿ってスムースかつ周期的に往復動させることができる。【００９４】
また、扇形コロ７１の形状、特に弧状部分７１ａの形状を変更することや、支軸７３の貫通位置を対称線Ｌ１上でずらすこと等により、可動部５１の往復動の周期を変更することができる。これにより、ロッキング機構の外形を大きくすることなく、シート本体３０の往復動を幼児にとって最適な揺動周期に調整することができる。【００９５】
さらに、このようなロッキング機構７０は厚みの薄い平たい外形を有している。このため、ロッキング機構４０をシート本体の下方に配置するとともに、ベビーラック１全体をコンパクトな大きさにすることができる。【００９６】
なお、本実施の形態において、固定部４１上にシート本体３０の幅方向に沿って離間した一対の扇形コロ７１を設けた例を示したが、これに限られず、固定部４１上にシート本体３０の幅方向に沿って長く延びる１つの扇形コロ７１を設けてもよい。【００９７】
また、本実施の形態において、扇形コロ７１の弧状部分７１ａの断面形状が円弧からなる、すなわち扇形コロ７１ａが弧状部分７１ａの各位置において一定の曲率を有する例を示したが、これに限られない。扇形コロ７１が、弧状部分７１ａの中心から端部までの各位置において一定でない曲率を有するようにする等、変更してもよい。【００９８】
第３の実施の形態
次に、図１０乃至図１２により、本発明の第３の実施の形態について説明する。  
図１０乃至図１２に示す第３の実施の形態は、ロッキング機構が異なるのみであり、他は図１乃至図７に示す第１の実施の形態および図８および図９に示す第２の実施の形態と略同一である。【００９９】
このため、ロッキング機構以外の部分について詳細な説明は省略するとともに、図１０乃至図１２において、ロッキング機構についても図１乃至図９に示す第１、または第２の実施の形態と同一部分には同一符号を付して詳細な説明は省略する。【０１００】
なお、図１０はロッキング機構７６の上面図であり、図１１はロッキング機構７６の正面図であり、図１２は図１０の線１２−１２に沿った断面図である。【０１０１】
図１０乃至図１２に示すように、ロッキング機構７６は、シート本体３０の前後方向に延びる側壁４１ｂを有する固定部４１と、固定部４１の側壁４１ｂから揺動自在に垂れ下がる第１揺動体７７と、第１揺動体７７に支持された揺動フレーム７９と、揺動フレーム７９から揺動自在に垂れ下がる第２揺動体８１と、第２揺動体８１に支持されるとともに、シート本体３０を下方から支持する可動部５１とを有している。【０１０２】
このようなロッキング機構７６は、第１揺動体７７が固定部４１に対して揺動するとともに、第２揺動体８１が揺動フレーム７９に対して揺動することにより、可動部５１が固定部４１に対してシート本体３０の前後方向に沿って往復動し、これにより、可動部５１に支持されたシート本体３０を側板２０に対してベビーラック１の前後方向に往復動させる。【０１０３】
なお、シート本体３０の前後方向とは、正面図である図１１において紙面における奥行き方向のことであり、シート本体３０の幅方向とは、正面図である図１１において紙面における左右方向のことである。【０１０４】
本実施の形態においては、固定部４１は一対の側壁４１ｂ，４１ｂと、一対の側壁４１ｂ，４１ｂの下端間を連結する平板状の固定部ベース４１ｃとを有し、図１１に示すように正面視においてコ字状となっている。【０１０５】
図１１に示すように、第１揺動体７７は各側壁４１ｂの上縁部近傍に軸受け（図示せず）を介し揺動自在に支持されて垂れ下がる一対の第１揺動体垂下部７７ａ，７７ａと、シート本体３０の幅方向に延び一対の第１揺動体垂下部７７ａ，７７ａを連結する第１揺動体連結部７７ｂとを有し、正面視において略コ字状形状となっている。このような第１揺動体７７は、正面視において固定部４１の内側に沿って延びる略コ字状形状となっている（図１１）。また、図１０および図１２に示すように、固定部４１の側壁４１ｂ，４１ｂ間には、２つの第１揺動体７７がシート本体３０の前後方向に離間して配置されている。【０１０６】
図１１および図１２に示すように、揺動フレーム７９は等脚台形の外周に沿った形状を有し、シート本体３０の前後方向に沿って延びる一対のフレーム側部７９ａ，７９ａと、一対のフレーム７９ａ，７９ａ側部を連結するフレーム連結部７９ｂとを有している。一対のフレーム側部７９ａ，７９ａはシート本体３０の幅方向に沿って離間し、第１揺動体７７の第１揺動体連結部７７ｂの両端部近傍にそれぞれ配置されている（図１１）。このようなフレーム側部７９ａは下部７９ｄ両端を各第１揺動体に軸受け（図示せず）を介し回動自在に貫通され、第１揺動体７７によって支持されている（図１２）。また、本実施の形態において、フレーム連結部７９ｂは一対のフレーム側部７９ａ，７９ａの上部７９ｃ中央間を連結している。【０１０７】
図１１に示すように、第２揺動体８１は各フレーム側部７９ａの上部７９ｃに軸受け（図示せず）を介し揺動自在に支持されて垂れ下がる一対の第２揺動体垂下部８１ａ，８１ａと、シート本体３０の幅方向に延び一対の第２揺動体垂下部８１ａ，８１ａを連結する第２揺動体連結部８１ｂとを有し、正面視において略コ字状形状となっている。このような第２揺動体８１は、第１揺動体７７の幅方向内側に配置され（図１０および図１１）、第１揺動体７７と高さ方向（図１１および図１２において紙面における上下方向）において一部重複する位置に配置されている。【０１０８】
また、図１０および図１２に示すように、可動部５１の可動部ベース５１ａの下面から４つの受け台８２が垂下されており、各受け台８２は２本の第２揺動体８１の第２揺動体連結部８１ｂにより軸受け（図示せず）を介し回動自在に貫通されている。これにより、可動部５１は、受け台８２を介して第２揺動体８１に下方から支持されている。【０１０９】
また、第１の実施の形態でも述べたように、おおよそ受け台８２の配置位置に対応する可動部ベース５１ａの上面には、シート本体３０の座部３１下面に設けられた受け部３１ａに係合する支持部５４が設けられている（図１０においては図示せず）。この支持部５４と受け部３１ａとを係合させることにより、可動部５１はシート本体３０を下方から支持するようになっている。【０１１０】
このようなロッキング機構７６は、図１０乃至図１２に示すように厚みの薄い平たい外形を有している。したがって、ロッキング機構７６をシート本体３０の下方に配置することができ、ベビーラック１全体をコンパクトな大きさにすることができる。【０１１１】
次にこのような構成からなる本実施の形態の作用について説明する。
第１揺動体７７は、固定部４１の側壁４１ｂから揺動自在に垂れ下がっている。したがって、第１揺動体７７は、一旦揺動させられると、重力により鉛直方向を中心として周期的に揺動する。このため、第１揺動体７７の第１揺動体連結部７７ｂに支持された揺動フレーム７９は、固定部４１に対して前後方向に往復動することができる。【０１１２】
また、第２揺動体８１は、揺動フレーム７９の上部７９ｃから揺動自在に垂れ下がっている。したがって、第２揺動体８１は、一旦揺動させられると、重力により鉛直方向を中心として周期的に揺動する。このため、第２揺動体８１の第２揺動体連結部８１ｂに支持された可動部５１は、揺動フレーム７９に対して前後方向に往復動することができる。【０１１３】
これらのことから、第１揺動体７７を固定部４１に対して揺動させるとともに、第２揺動体８１を揺動フレーム７９に対して揺動させることにより、可動部５１は重力により固定部４１に対してシート本体３０の前後方向に沿って往復動し、これにより、シート本体３０を側板２０に対してベビーラック１の前後方向に周期的に往復動させることができる。【０１１４】
また、可動部５１の固定部４１に対する周期的な往復動は、所謂二重振子の原理に基づいている。したがって、第１揺動体７７によって可動部５１を直接支持するよりも、本実施の形態のように第２揺動体８１を介して可動部５１を支持する方が、可動部５１の往復動を長周期とすることができる。また、図１１および図１２に示すように、第２揺動体８１は第１揺動体７７に対してシート本体３０の幅方向内側に配置されるとともに、高さ方向は重なり合っている。したがって、第２揺動体８１を設けることにより、ロッキング機構７６の外形が大きくなってしまうことはない。【０１１５】
さらに、第１揺動体７７の第１揺動体垂下部７７ａの長さおよび第２揺動体８１の第２揺動体垂下部８１ａの長さを調整すること等により、シート本体３０の往復動を幼児にとって最適な揺動周期とすることができる。【０１１６】
以上のように本実施の形態によれば、第２揺動体８１が第１揺動体７７に対して幅方向内側であって、高さ方向において重なり合うように配置されている。このため、ロッキング機構７６の外形を大きくすることなく、可動部５１を固定部４１に対して長周期で往復動させることができる。【０１１７】
また、第１揺動体７７の第１揺動体垂下部７７ａの長さおよび／または第２揺動体８１の第２揺動体垂下部８１ａの長さを変更することにより、可動部５１の往復動の周期を変更することができる。これにより、シート本体３０の往復動を幼児にとって最適な揺動周期に調整することができる。【０１１８】
さらに、このようなロッキング機構７６は厚みが薄い平たい外形を有しており、ロッキング機構７６をシート本体３０の下方に配置するとともに、ベビーラック１全体をコンパクトな大きさにすることができる。【０１１９】
なお、本実施の形態において、固定部４１を側板２０と別体に形成するとともに、可動部５１をシート本体３０と別体に形成する例を示したが、これに限られず、第１の実施の形態においても述べたように固定部４１を側板２０と一体に形成し、可動部５１をシート本体３０と一体に形成してもよい。【０１２０】
この場合、第１揺動体７７は側板２０の上方に揺動自在に連結されるとともに、シート本体３０の受け部３１ａが第２揺動体８１の第２揺動体連結部８１ｂに直接支持される。また、固定部ベース４１ｃは省略してもよい。このようなロッキング機構７６は高さ方向において、シート本体３０と一部重なり合うことになり、ベビーラック１をさらにコンパクトな大きさにすることができる。【０１２１】
第４の実施の形態
次に、図１３乃至図１５Ｂにより、本発明の第４の実施の形態について説明する。  
図１３乃至図１５Ｂに示す第４の実施の形態は、ロッキング機構が異なるのみであり、他は図１乃至図７に示す第１の実施の形態、図８および図９に示す第２の実施の形態および図１０乃至図１２に示す第３の実施の形態と略同一である。【０１２２】
このため、ロッキング機構以外の部分について詳細な説明は省略するとともに、図１３乃至図１５Ｂにおいて、ロッキング機構についても図１乃至図１２に示す第１、第２または第３の実施の形態と同一部分には同一符号を付して詳細な説明は省略する。【０１２３】
なお、図１３はロッキング機構９０の側面図であり、図１４はロッキング機構９０の正面図であり、図１５Ａおよび図１５Ｂは、ロッキング機構９０の変形例を示す部分側面図である。【０１２４】
図１３および図１４に示すように、ロッキング機構９０は、シート本体３０の前後方向に沿って凹状に湾曲した湾曲レール９３を有する固定部４１と、湾曲レール９３上を回転する車輪９６を有するとともに、シート本体３０を下方から支持する可動部５１とを有している。【０１２５】
このようなロッキング機構９０は、可動部５１が固定部４１に対してシート本体３０の前後方向に沿って往復動し、これにより、可動部５１に支持されたシート本体３０を側板２０に対してベビーラック１の前後方向に往復動させる。【０１２６】
なお、シート本体３０の前後方向とは、側面図である図１３において紙面における左右方向のことであり、シート本体３０の幅方向とは、側面図である図１３において紙面における奥行き方向のことである。【０１２７】
まず、固定部４１について説明する。本実施の形態においては、図１４に示すように、固定部４１は一対の側壁９１，９１と、一対の側壁９１，９１の下端間を連結する固定部ベース９２とを有している。【０１２８】
各側壁９１の下方に、シート本体３０の前後方向に離間して２つの湾曲レール９３が側壁９１と一体に形成されている。本実施の形態において、湾曲レール９３は、図１３に示す側面視において円弧状に沿う上面９３ａを有し、また、湾曲レール９３は最も上面９３ａの高さが低くなる中心部９３ｂを挟み対称な形状となっている。なお、各湾曲レール９３は同一形状となっている。【０１２９】
また、図１３に示すように、側壁９１には各湾曲レール９３が設けられた部分に対応して、案内開口９４が設けられている。さらに、図１４に示すように、側壁９１は湾曲レール９３の上方を覆う天部９１ａを有している。【０１３０】
なお、一対の側壁９１，９１は互いに対して対称な形状となっている。すなわち、図１３に示す側面視において、一方の側壁９１の湾曲レール９３および案内開口９４は、他方の側壁９１の湾曲レール９３および案内開口９４と重なるように配置される。【０１３１】
次に可動部５１について説明する。可動部５１は、各湾曲レール９３上に配置される計４つの車輪９６と、幅方向に離間した一対の車輪９６，９６を連結する計２つの車輪軸９７と、車輪軸９７を保持する平板状の可動部ベース５１ａとを有している。【０１３２】
図１３および図１４に示すように幅方向に沿って延びる車輪軸９７は前後方向に離間して２本、可動部ベース５１ａに受け台９５を介して固定されている。各車輪軸９７は一対の車輪９６，９６を両端部近傍において支持している。【０１３３】
図１３に示すように、車輪軸９７の端部９７ａは車輪９６を貫通し、幅方向外方に向けて突出している。案内開口９４の上縁部９４ａは、車輪９６が湾曲レール９３上を転がる際の車輪軸端部９７ａの移動軌跡に沿った形状となっており、車輪軸９７の端部９７ａはこの案内開口９４の上縁部９４ａ近傍に配置される（図１４）。したがって、車輪９６が湾曲レール９３から浮き上がろうとすると、端部９７ａが案内開口９４の上縁部９４ａに当接するようになっている。これにより、車輪９６が湾曲レール９３から浮き上がることが規制される。【０１３４】
各車輪９６は車輪軸９７を中心として回転自在であるが、車輪軸９７に対して車輪軸９７の長手方向に移動することができないようになっている。また、各車輪９６の幅方向内側には湾曲レール９３の内側側面９３ｃに係合するつば部９６ａが設けられている。したがって、可動部５１は幅方向へずれることなく、スムースに湾曲レール９３上を前後方向へ移動することができる。【０１３５】
また、図１３に示すように、一つの車輪９６が湾曲レール９３の中心部９３ｂ上にある場合、他の車輪９６もそれぞれ湾曲レール９３の中心部９３ｂ上に配置されるよう、可動部ベース５１ａへの車輪軸９７の取付位置が決定されている。【０１３６】
ところで、図１３および図１４に示すように、固定部４１の固定部ベース９２上には、シート本体３０の前後方向に沿って延びるロック軸９８が２つ設けられている。各ロック軸９８はホルダー９２ａを介して固定部ベース９２に回転自在に取り付けられている。ロック軸９８の後方側端部は固定部ベース９２から突出し、この端部にレバー９８ａが取り付けられている。【０１３７】
また、各ロック軸９８には、車輪軸９７に係合するロック係合溝９９ａを有するロック部材９９が２つ固定されている。ロック部材９９は細長状からなり、車輪９６が湾曲レール９３の中心部９３ｂ上に配置された際に、ロック部材９９は車輪軸９７の下方に位置するよう配置されている。このため、車輪９６が湾曲レール９３の中心部９３ｂに配置されている状態でロック軸９８が回転させられると、ロック部材９９は上方に延び（図１４）、ロック部材９９のロック係合溝９９ａは図１３に示すように車輪軸９７に係合する。【０１３８】
このようなロッキング機構９０は、図１３および図１４に示すように厚みの薄い平たい外形を有している。したがって、ロッキング機構９０をシート本体３０の下方に配置することができ、ベビーラック１全体をコンパクトな大きさにすることができる。【０１３９】
次にこのような構成からなる本実施の形態の作用について説明する。
湾曲レール９３はシート本体３０の前後方向に沿って湾曲しており、湾曲レール９３の上面９３ａは図１３に示す側面視において中心部９３ｂを挟み左右対称な円弧状となっている。したがって、車輪９６が湾曲レール９３の中心部９３ｂ上に配置された状態から、可動部５１を固定部４１に対して前後方向に一旦移動させると、可動部５１は重力により固定部４１に対してシート本体３０の前後方向に周期的に往復動する。【０１４０】
このような可動部５１の周期的な往復動は、転がり振子の原理に基づいている。したがって、湾曲レール９３の形状を変更すること等により、可動部５１の往復動の周期を変更することができる。このとき、可動部５１の往復動を長周期化するには、湾曲レール９３の湾曲形状をなだらかにすればよいので、ロッキング機構９０の外形を大きくしてしまうことはない。【０１４１】
また、車輪９６は湾曲レール９３の内側側面９３ｃに幅方向内側から係合するつば部９６ａを有するとともに（図１４）、車輪９６は車輪軸９７に対して幅方向に移動することができないようになっている。また、側壁９１には湾曲レール９３上方を覆う天部９１ａが設けられており、湾曲レール９３上への埃等の堆積が防止される。このため、シート本体３０の幅方向への可動部５１の移動が規制されるとともに、可動部５１はシート本体３０の前後方向にスムースに往復動することができる。【０１４２】
さらに、側壁９１に案内開口９４が設けられ、車輪軸９７の端部９７ａは案内開口９４の上縁部９４ａ近傍に配置されている。したがって、車輪９６が湾曲レール９３から浮き上がろうとすると、端部９７ａが案内開口９４の上縁部９４ａに当接する。これにより、車輪９６が湾曲レール９３から浮き上がり、可動部５１が固定部４１から外れてしまうことが防止される。また、車輪軸９７の端部９７ａが案内開口９４の側縁部９４ｂに当接することにより、可動部５１が前後方向に移動し過ぎてしまうことを防止することができる。【０１４３】
また、シート本体３０の往復動を固定する場合、ロッキング機構９０から前後方向後方側に突出したレバー９８ａを９０°回転させて、ロック軸９８を介してロック部材９９を上方に向けて揺動させる（図１４）。これにより、車輪軸９７はロック部材９９のロック係合溝９９ａ内に入り込み、シート本体３０の前後方向への車輪軸９７の移動は規制され、シート本体３０は側板２０に対して固定される。【０１４４】
以上のように本実施の形態によれば、可動部５１の車輪９６は固定部４１の湾曲レール９３上に配置されている。このため、可動部５１は重力により固定部４１に対して往復動することができる。【０１４５】
また、このようなロッキング機構９０は厚みの薄い平たい外形を有しており、ロッキング機構９０をシート本体３０の下方に配置するとともに、ベビーラック１全体をコンパクトな大きさにすることができる。【０１４６】
さらに、湾曲レール９３の形状を変更することにより、ロッキング機構９０の外形を大きくすることなく、可動部５１の往復動を長周期化することができる。これにより、シート本体３０の往復動を幼児にとって最適な揺動周期に調整することができる。【０１４７】
さらにまた、車輪軸９７の端部９７ａが側壁９１の案内開口９４に係合することにより、可動部５１が固定部４１から外れてしまうこと、および可動部５１が固定部４１に対して移動し過ぎることを防止することができる。【０１４８】
また、車輪９６は湾曲レール９３の内側側面９３ｃに幅方向内側から係合するつば部９６ａを有し、車輪軸９７に対して幅方向にずれることはない。また、側壁９１には湾曲レール９３上方を覆う天部９１ａが設けられている。これらにより、シート本体３０の幅方向への可動部５１の移動が規制されるとともに、可動部５１はシート本体３０の前後方向にスムースに往復動することができる。【０１４９】
さらに、ロック軸９８を回転させることにより、ロック部材９９のロック係合溝９９ａが車輪軸９７を前後方向から挟み込み、可動部５１の前後方向への移動を規制する。これにより、シート本体３０を側板２０に対して固定することができる。【０１５０】
なお、本実施の形態において、固定部４１が、シート本体３０の前後方向に延びる回転自在なロック軸９８と、ロック軸９８に固定され、車輪９６の車輪軸９７の下方に配置されるとともに車輪軸９７に係合するロック係合溝９９ａを有したロック部材９９とを有し、ロック軸９８を回転することによって、ロック部材９９がシート本体３０の前後方向への車輪軸９７の移動を規制するようにした例を示したが、これに限られない。図１５Ａおよび図１５Ｂに示すように、固定部４１が、シート本体３０の前後方向に延びるとともに前後方向に沿って移動自在なロック軸１０２と、上下方向に移動自在であり、車輪９６の車輪軸９７の下方に配置されるとともに車輪軸９７に係合するロック係合溝９９ａを有するロック部材９９と、ロック軸１０２とロック部材９９とにそれぞれ回動自在に連結された連結杆１０３と、固定部４１の固定部ベース９２上に設けられ、ロック部材９９の前後方向への移動を規制する規制部材１０１と、を有するようにしてもよい。【０１５１】
このような構成からなる本変形例においては、ロック軸１０２が移動して、ロック軸１０２と連結杆１０３との連結点１０４がロック部材９９と連結杆１０３との連結点１０５から前後方向において離間するのにしたがって、ロック部材９９が下方に移動する。一方、ロック軸１０２が移動して、ロック軸１０２と連結杆１０３との連結点１０４がロック部材９９と連結杆１０３との連結点１０５に前後方向において接近するのにしたがって、ロック部材９９が上方に移動する。そして、ロック部材９９が上方に移動すると、ロック部材９９の係合溝９９ａ内に車輪軸９７が入り込み、車輪軸９７の前後方向への移動が規制される。【０１５２】
本変形例においては、図１５Ａに示すように、ロック軸１０２を後方側へ移動させると、ロック部材９９が下方に移動し、また、図１５Ｂに示すように、ロック軸１０２を前方側へ移動させると、ロック部材９９が上方に移動するようになっている。【０１５３】
また、図１５Ｂに示すように、ロック部材９９が上方に移動した際に、ロック部材９９が車輪軸９７を上方に持ち上げ、車輪９６が湾曲レール９３から離間するようにすることが好ましい。このように車輪９６を湾曲レール９３から離間させるようにして係合部材９９が車輪軸９７を保持した場合、可動部５１の前後方向への移動を確実に規制することができる。【０１５４】
さらにこの場合、図１５Ｂに示すように、ロック軸１０２と連結杆１０３との連結点１０４がロック部材９９と連結杆１０３との連結点１０５よりも前後方向においてわずかに一側（本実施の形態においては前方側）に配置される状態から、ロック軸１０２が一側へ移動することを規制する移動規制部材１０６を、固定部４１が有していることが好ましい。この場合、ロック部材９９は、車輪９６が湾曲レール９３から離間した状態で、車輪軸９７を安定して保持することができる。また、車輪９６が湾曲レール９３から離間しているので、シート本体３０に荷重が負荷されたとしても、車輪９６を介して湾曲レール９３を変形させてしまうことはない。
【図１】
0004869921.tif 000002
【図２】
0004869921.tif 000003
【図３】
0004869921.tif 000004
【図４】
0004869921.tif 000005
【図５】
0004869921.tif 000006
【図６】
0004869921.tif 000007
【図７】
0004869921.tif 000008
【図８】
0004869921.tif 000009
【図９】
0004869921.tif 000010
【図１０】
0004869921.tif 000011
【図１１】
0004869921.tif 000012
【図１２】
0004869921.tif 000013
【図１３】
0004869921.tif 000014
【図１４】
0004869921.tif 000015
【図１５Ａ】
0004869921.tif 000016
【図１５Ｂ】
0004869921.tif 000017